(57)【要約】      （修正有）【課題】水道水の水力によって確実に駆動できるホースリールの駆動装置を得る。【解決手段】回転羽根（２６）をケーシング（２２）内に回転自在に設け、水を回転羽根（２６）の羽根（２６ａ）に衝突させてなる水車（２１）を設け、固定太陽ギア（３１）、駆動太陽ギア（３２）、及び遊星ギア（３３）を設け、各ギアの１つのギアの歯数を残余のギアの歯数と異ならせ、固定太陽ギア（３１）と駆動太陽ギア（３２）とを回転羽根（２６）の支持軸２３に同軸に設け、固定太陽ギア（３１）をケーシング（２２）側に固定し、前記遊星ギア（３３）を回転自在に設け、駆動太陽ギア（３２）をホースリール（１）の駆動軸（４）にクラッチ装置（４０）を介して連結する。【選択図】      図３
2006111422.tif 000002
【特許請求の範囲】
【請求項１】
ケーシング（２２）内に、基板（２７）の外周部に多数の羽根（２６ａ）を有する回転羽根（２６）を回転自在に設け、前記ケーシング（２２）に水を回転羽根（２６）の羽根（２６ａ）に向けて噴出する流入口（２４）、及び羽根（２６ａ）に衝突した後の水を外部に流出させる流出口（２５）を設けてなる水車（２１）を設け、固定太陽ギア（３１）、駆動太陽ギア（３２）、及び遊星ギア（３３）を設けるとともに、各ギアのうち、少なくとも１つのギアの歯数を残余のギアの歯数と異ならせ、前記固定太陽ギア（３１）と駆動太陽ギア（３２）とを回転羽根（２６）を支持する支持軸２３に同軸に設けるとともに、固定太陽ギア（３１）をケーシング（２２）側に固定し、前記遊星ギア（３３）を前記基板（２７）の側部に回転自在に設けるとともに、該遊星ギア（３３）を前記固定太陽と駆動太陽ギア（３２）とに噛み合わせ、駆動太陽ギア（３２）をホースリール（１）の駆動軸（４）にクラッチ装置（４０）を介して連結したことを特徴とするホースリールの駆動装置。
【請求項２】
遊星ギヤ（３３）は基板（２７）の軸心を中心として線対象に複数個設けたことを特徴とする請求項１記載のホースリールの駆動装置。
【請求項３】
基板（２７）の内周部を中空とし、該中空部（Ｓ）に固定太陽ギア（５１）、駆動太陽ギア（５２）、及び遊星ギア（５３，５４）を収容したことを特徴とする請求項１又は２記載のホースリールの駆動装置。
【請求項４】
クラッチ装置（４０）は、駆動太陽ギア（３２）又は基板（２７）が回転された際にホースリール（１）の駆動軸（４）方向に移動してオン作動し、駆動太陽ギア（３２）又は基板（２７）の回転が停止された際に前記駆動軸（４）に対して離間する方向に移動してオフ作動する断続クラッチ装置（４０）としたことを特徴とする請求項１〜３いずれか１項に記載のホースリールの駆動装置。
【請求項５】
水車（２１）の流出口（２５）に多数の小孔を有する洗浄ノズル（５ｂ）を接続し、該洗浄ノズル（５ｂ）をホースリール（１）の胴部（２ａ）側に仕向けたことを特徴とする請求項１〜４いずれか１項に記載のホースリールの駆動装置。
【請求項６】
水道水をホースリール（１）と水車（２１）とに交互に切り換えて供給する切換弁（７５）を設けたことを特徴とする請求項１〜５いずれか１項に記載のホースリールの駆動装置。
【発明の詳細な説明】
【技術分野】
【０００１】
本発明は、園芸植物、菜園植物等に散水するホースリールに関し、特に散水後にホースリールを巻取り方向に回転させる駆動装置に関するものである。
【背景技術】
【０００２】
リール本体を回転自在に支持するスタンドに水道水の水力によって回転される水車を取付け、該水車の軸に一方向クラッチを介してリール本体のフランジ部と摩擦係合する回転体を連結し、ホースを巻き取る際には、上記水車に水道水を供給して該水車を回転させ、上記回転体を介してリール本体を散水ホースの巻取り方向に回転させ、ホースをリール本体から繰り出す際には水車への水道水の供給を止めて該水車をフリーにし、回転体のみがリール本体のフランジ部によって回転されるようにしたものがあった。
【０００３】
上記従来のものは、水車の軸に設けた回転体をリール本体のフランジ部に摩擦係合させるようにしていたので、フランジ部の剛性が小さいものには適用し難いものであった。また、水車がリール本体に対して偏心するため、水車の径が大きくなると、該水車がフランジ部から外方にはみ出て大型になるものであった。
【特許文献１】特開２００１−３２８７６９
【発明の開示】
【発明が解決しようとする課題】
【０００４】
本発明は、水道水の水力によって回転される水車をホースリールと略同軸に配置してその駆動軸に連結するとともに、水車のケーシング内に遊星ギア装置を組み込むことにより、小型にしてホースリールが水道水の水力によって確実に駆動できるホースリールの駆動装置を得ることを目的とする。
【課題を解決するための手段】
【０００５】
本発明は、上記目的を達成するために以下の如く構成したものである。即ち、請求項１に係る発明は、ケーシング内に、基板の外周部に多数の羽根を有する回転羽根を回転自在に設け、前記ケーシングに水を回転羽根の羽根に向けて噴出する流入口、及び羽根に衝突した後の水を外部に流出させる流出口を設けてなる水車を設け、固定太陽ギア、駆動太陽ギア、及び遊星ギアを設けるとともに、各ギアのうち、少なくとも１つのギアの歯数を残余のギアの歯数と異ならせ、前記固定太陽ギアと駆動太陽ギアとを回転羽根を支持する支持軸２３に同軸に設けるとともに、固定太陽ギアをケーシング側に固定し、前記遊星ギアを前記基板の側部に回転自在に設けるとともに、該遊星ギアを前記固定太陽と駆動太陽ギアとに噛み合わせ、駆動太陽ギアをホースリールの駆動軸にクラッチ装置を介して連結する構成にしたものである。
請求項２に係る発明は、前記遊星ギヤを基板の軸心を中心として線対象に複数個設けるようにしたものである。
請求項３に係る発明は、前記基板の内周部を中空とし、該中空部に固定太陽ギア、駆動太陽ギア、及び遊星ギアを収容するようにしたものである。
請求項４に係る発明は、前記クラッチ装置は、駆動太陽ギア又は基板が回転された際にホースリールの駆動軸方向に移動してオン作動し、駆動太陽ギア又は基板の回転が停止された際に前記駆動軸に対して離間する方向に移動してオフ作動する断続クラッチ装置としたものである。
請求項５に係る発明は、前記水車の流出口に多数の小孔を有する洗浄ノズルを接続し、該洗浄ノズルをホースリールの胴部側に仕向けるようにしたものである。
請求項６に係る発明は、水道水をホースリールと水車とに交互に切り換えて供給する切換弁を設けたものである。
【発明の効果】
【０００６】
請求項１に係る発明は、水道水を水車に供給すると、回転羽根が水道水の水流によって回転し、回転羽根に設けた遊星ギアが固定太陽ギアに沿って旋回しつつ該固定太陽ギアによって回転され、同時に上記遊星ギアが駆動太陽ギアに沿って旋回することになる。この場合、各固定太陽ギア、駆動太陽ギア、及び遊星ギアのうち、少なくとも１つのギアの歯数が残余のギアの歯数と異なっているため、駆動太陽ギアは固定太陽ギアに対して相対回転するとともに、その回転速度は回転羽根の回転速度に対し、異なった歯数に対応して変速されることになる。そして、上記駆動太陽ギアの回転力がクラッチ装置を介してホースリールに伝達されることになる。この場合、固定太陽ギア、駆動太陽ギア及び各遊星ギアは全て外歯ギアであるため、製作が容易になる。しかも、上記各ギアを基板の側面に配置したので小型化ができるとともに、駆動太陽ギアの駆動力を容易に大きくすることができる。
【０００７】
請求項２に係る発明は、遊星ギヤを基板の軸心を中心として線対象に複数個設けたので、各遊星ギアの回転力が駆動太陽ギアに略均等に伝達され、該駆動太陽ギアが大きなトルクを安定してホースリールに伝達することになる。
【０００８】
請求項３に係る発明は、基板の内周部に形成した中空部に固定太陽ギア、駆動太陽ギア、及び遊星ギアを収容したので、各ギアがケーシング内の水に晒されなくなり、作動が長期に亘って安定することになる。
【０００９】
請求項４に係る発明は、駆動太陽ギア又は基板が回転されるとクラッチ装置がオン作動して駆動太陽ギアの回転力がホースリールに伝達され、該ホースリールがホースを巻き取ることになる。また、駆動太陽ギア又は基板の回転が停止されると、上記クラッチ装置がオフ作動して駆動太陽ギアがホースリールの駆動軸から離脱し、これにより、ホースリールからホースを巻き出す際に、ホースリールに駆動装置の負荷が作用しなくなり、ホースを小労力で巻出すことができる。
【００１０】
請求項５に係る発明は、ホースを巻き取る際に、水車の流出口から流出した水が洗浄ノズルを介してホースリールの胴部に巻かれるホースに向かって流出し、ホースは洗浄されながらホースリールに巻かれることになる。
【００１１】
請求項６に係る発明は、切換弁を操作することによって、水道水をホースリールと水車とに交互に切り換えて供給することになり、水道水の切換が迅速に行えるとともに、ホースへの水供給操作と水車への水供給操作とが重複したり、間違えたりしなくなる。
【発明を実施するための最良の形態】
【００１２】
以下本発明の実施の形態を図面に基いて説明する。図面において、図１は本発明が適用されたホースリールの全体を示す正面図、図２は図１の右側面図、図３は本発明による駆動装置の第１例を示す断面図、図４は図３のIV-IV相当の断面図、図５は本発明によるクラッチ装置部の第１例を示す拡大断面図、図６は本発明による駆動装置の第２例を示す断面図、図７は本発明によるクラッチ装置部の第２例を示す拡大断面図、図８は図７のVIII-VIII相当の断面図である。
【００１３】
図１及び図２において、１はホースリール、１０は該ホースリール１を支持する支持台である。上記ホースリール１は主として家庭用に使用されるものであり、胴部２ａの左右両端に大径のフランジ部２ｂ，２ｂを一体に有するリール本体２を、各フランジ部２ｂ，２ｂの軸心部に設けた軸を介してスタンド５に回転自在に支持する。左部の軸は水道水を導入する供給ホース６の接続口３とし、右部の軸はリール本体２を回転させる駆動軸４ととする。該駆動軸４は、図３に示すように、中空にするとともに、内周にスプライン状の係合凹部４ａを有する。上記胴部２ａに長さ２０ｍ〜３０ｍの散水ホース７を接続すると共にこれを胴部２ａに巻き付け、該散水ホース７の先端に散水ノズル８を取付ける。
【００１４】
支持台１０は木製、あるいはプラスチックにより形成され、上面に浅い容器状の水受け１３が載置された支持板１１を４本の脚１２により約３００ｍｍ〜４００ｍｍの高さで略水平に支持する。上記水受け１３はホースリール１のスタンド３の下部が嵌合する平面積を有し、前部の左右中心部に排水口１３ａを有する。
【００１５】
上記スタンド５の右側部にホースリール１を散水ホース７の巻取り方向に回転させる駆動装置２０を取り付ける。該駆動装置２０は図３、図４に示すようになっている。図３、図４において、２０は駆動装置であり、水車２１、遊星歯車装置３０、及びクラッチ装置４０を主要部品として構成されている。
【００１６】
水車２１は、盆形のケーシング２２内に水車形の回転羽根２６を収容するとともに、該回転羽根２６をケーシング２２の底部中心部に起立固定した支持軸２３に回転自在に取り付ける。ケーシング２２は、図４に示すように、下部側に水道水を導入する流入口（噴出ノズル）２４を、右部側に流出口２５を形成し、流入口２４は回転羽根２６に対して接線方向に向け、外端側の内径を約１３〜１５ｍｍとし、内端側は内方に向かってテーパー状に絞るとともにその内端の径を約３ｍｍ〜４ｍｍにして回転羽根２６の羽根２６ａに勢いよく当たるようにする。また、上記流出口２５は、流入口２４に対し約９０度の交差角度で上方に向けるとともにその内径を１５ｍｍ〜１８ｍｍとする。
【００１７】
上記回転羽根２６は、直径約２１４ｍｍの基板２７の、図３において左面外周に縦幅び横幅が約８ｍｍとなる方形の羽根２６ａを８ｍｍ〜１０ｍｍのピッチで放射状に配列し、図３に示すように、左右両側及び内側を閉塞する。なお、上記各羽根２６ａは図４に示すように、先端（外端）が半径線に対して流入口２４方向に傾斜する迎え角を設けるようにするとよい。本例では上記迎え角を約１０度としている。
【００１８】
上記ケーシング２２内に遊星歯車装置３０を設ける。該遊星歯車装置３０は、互いに噛み合う同じモジュールにした固定太陽ギア３１、駆動太陽ギア３２、及び４個の遊星ギア３３（３３ａ，３３ｂ，３３ｃ，３３ｄ）を有し、固定太陽ギア３１及び各遊星ギア３３は同じ歯数、本例では５５個とし、駆動太陽ギア３２は太陽ギア３１、及び遊星ギア３３の歯数よりも１個少ない５４個とする。
【００１９】
そして、図３に示すように、固定太陽ギア３１は回転羽根２６の右側に配置して支持軸２３に挿通するとともに、止めボルト３４によりケーシング２２の底壁に固定する。また、駆動太陽ギア３２は回転羽根２６の左側に配置して支持軸２３に回転自在に挿通する。また、遊星ギア３３は回転羽根２６の基板２７の右側と左側とにそれぞれ２個づつ、支持軸２３に対して線対象に配置し、右側の各遊星ギア３３ａ，３３ｂを固定太陽ギア３１に噛み合わせ、左側の各遊星ギア３３ｃ，３３ｄを駆動太陽ギア３２に噛み合わせる。
【００２０】
上記基板２７の右側の遊星ギア３３ａ，３３ｂと左側の遊星ギア３３ｃ，３３ｄは、互いに対面させ、該対面した遊星ギア３３ａ，３３ｃ、及び遊星ギア３３ｂ，３３ｄ同士は、基板２７に回転自在に貫通した連結軸３５ａ，３５ｂにより一体的に連結する。これにより、回転羽根２６の回転速度を５４分の１に減速して駆動太陽ギア３２に伝達する遊星歯車装置３０を構成する。
【００２１】
上記駆動太陽ギア３２とホースリール１の駆動軸４との連結を断続させるクラッチ装置４０を設ける。該クラッチ装置４０は図５に示すようになっている。即ち、駆動太陽ギア３２から左方（リール本体方向）に突出する支持軸２３に、円板状のスライダー４２、及び出力軸４６を順次左方に向けて取り付け、スライダー４２は支持軸２３に軸方向移動可能かつ回転可能に嵌合させるとともに、押圧ばね４７の弾性力で常時駆動太陽ギア３２方向に移動付勢する。また、出力軸４６は支持軸２３の左端部に回転可能かつ軸方向移動不能に嵌合させる。
【００２２】
そして、駆動太陽ギア３２の左面に駆動カム４１を、スライダー４２の右面に駆動カム４１に係合する被動カム４３を、該スライダー４２の左面に駆動爪４４を、また、出力軸４６の右面に駆動爪４４と係合する被動爪４５をそれぞれ取り付ける。上記駆動カム４１及び被動カム４３は、駆動太陽ギア３２が正回転（矢印Ｒ１）した際にスライダー４２を左方に移動させる傾斜カム面４１ａ，４３ａを有するとともに、各傾斜カム面４１ａ，４３ａの左端部に軸方向に伸びる衝突面（符号省略）を有する。これにより、駆動太陽ギア３２が矢印Ｒ１方向に回転すると、傾斜カム面４１ａ，４３ａによってスライダー４２が所定量左方に移動された後、上記衝突面同士が衝突して駆動太陽ギア３２の回転がスライダー４２に伝達されるようにする。
【００２３】
スライダー４２の左面に設けた駆動爪４４及び出力軸４６の右面に設けた被動爪４５は、図５の実線で示すように、スライダー４２が上記傾斜カム面４１ａ，４３ａによって所定量左方に移動されると、互いに係合する位置に設定する。また、各駆動爪４４と被動爪４５との係合面は、矢印Ｒ１方向から係合した際にスライダー４２を左方に移動（引き込む）斜面（符号省略）を有する。
【００２４】
上記出力軸４６はリール本体２の駆動軸４内に遊嵌する外径とし、該出力軸４６の左端部に駆動軸４の係合凹部４ａと係合する係合ピン４８を直交方向から貫通させる。該係合ピン４８は出力軸４６に対して径方向に移動可能とし、これにより、出力軸４６と駆動軸４との軸心が若干偏倚しても、出力軸４６のトルクが円滑に駆動軸４に伝達されるようにする。
【００２５】
図６は遊星歯車装置の他の例を示す、図６において、２０−１は駆動装置、２６−１は回転羽根、３０−１は遊星歯車装置である。回転羽根２６−１は、羽根２６ａを支持する基板２７ａの左方に円板状の基板（サイドプレート）２７ｂを同軸に対面させて連結軸５７，５７に着脱可能に固定する。該基板２７ｂは羽根２６ａの左面を閉塞する閉塞板と同一面状とし、これにより各基板２７ａ，２７ｂ間に中空部Ｓを形成し、該中空部Ｓに遊星歯車装置３０−１を収容する。即ち、同じモジュールの固定太陽ギア５１、駆動太陽ギア５２、及び２個の遊星ギア５３，５４を設け、遊星ギア５３（５４）の厚さは中空部Ｓの左右幅よりも若干小さくし、固定太陽ギア５１、及び駆動太陽ギア５２の厚さは、上記遊星ギア５３（５４）の厚さの約半部とする。
【００２６】
上記固定太陽ギア５１及び各遊星ギア５３，５４の歯数は前述と同じく共に５５個とし、駆動太陽ギア５２は太陽ギア５１、及び遊星ギア５３，５４の歯数よりも１個少ない５４個とする。上記固定太陽ギア５１は中空部Ｓ内の右部に配置して支持軸２３に挿通するとともに、止めピン５５により支持軸２３に固定する。また、駆動太陽ギア５２は中空部Ｓ内の左部に配置し、伝導筒体５６を介して支持軸２３に回転自在に挿通する。この伝導筒体５６は左端部を左部の基板２７ａから左方に露出させ、該左端に大径の取り付けフランジ５６ａを有する。上記遊星ギア５３，５４は中空部Ｓ内の外周側に、支持軸２３に対して線対象に配置して収容し、右部側半部の歯を固定太陽ギア５１に噛み合わせ、左部側半部の歯を駆動太陽ギア５２に噛み合わせる。
【００２７】
上記各遊星ギア５３，５４は、前述した連結軸５７，５７に回転自在にされる。なお、この連結軸５７，５７は右側の基板２７ａと一体に形成するようにしてもよい。これにより、回転羽根２６−１の回転速度を５４分の１に減速して駆動太陽ギア５２に伝達する遊星歯車装置３０−１を構成する。その他は前述した駆動装置２０と略同構造となっている。
【００２８】
図７、図８は遠心式のクラッチ装置４０−１を採用した駆動装置である。即ち、ケーシング２２の底壁中心部にフランジ５９ａ付きの軸受５９を内方に突出させ、プレート５９ｂを介してケーシング２２に固定する。該軸受５９に支持軸２３を回転可能かつ軸方向移動不能に取り付ける。この支持軸２３に図６と同様の回転羽根２６−１を回転自在に取付け、該回転羽根２６−１の中空部Ｓに固定太陽ギア５１、駆動太陽ギア５２、及び２個の遊星ギア５３，５４を収容する。
【００２９】
上記固定太陽ギア５１は支持軸２３に挿通して上記軸受５９のフランジ５９ａに小ねじ５９ｂを介して固定し、回転不能とする。なお、上記軸受５９は固定太陽ギア５１と一体に形成するようにしてもよい。また、駆動太陽ギア５２は支持軸２３に挿通してピン５５により該支持軸２３に相対回転不能に取り付ける。２個の遊星ギア５３，５４は図６と同様に左右の基板２７ａ，２７ｂに挿通した連結軸５７，５８に回転自在に取り付ける。
【００３０】
遠心式のクラッチ装置４０−１は、図７に示すように、左部の基板２７ｂから左方（リール本体方向）に突出する支持軸２３に、コーン状のスライダー６０を左右摺動可能に挿通するとともに、支持軸２３の外周に固定したキー６０ｂに係合させて支持軸２３と相対回転不能とする。このスライダー６０はそのコーン面（円錐カム面）６０ａを基板２７ｂ側に向け、押圧ばね６１の弾性力で常時基板２７ｂ方向に移動付勢する。また、出力軸４６は支持軸２３の左端部に回転可能かつ軸方向移動不能に嵌合させる。
【００３１】
上記スライダー６０の左面に駆動爪７０を、また、出力軸４６の右面に被動爪７１を取り付ける。上記駆動爪７０は、スライダー６０が左方（リール本体２側）に移動した際に被動爪７１と係合し、スライダー６０が右方に移動した際に被動爪７１から離脱するようにする。
【００３２】
そして、図８に示すように、左部の基板２７ｂの左面に一対の遠心力作動機構６２を、該基板２７ｂの中心に対して点対象に取り付ける。即ち、Ｌ形のレバー６３をその屈曲部で支点ピン６４により基板２７ｂの左面に揺動可能に取付け、該レバー６３の一方の辺６３ａを基板２７ｂの中心方向に向けるとともに、その揺動端部に基板２７ｂとスライダー６０との間に介入する楔形の駆動カム６５を取り付ける。該駆動カム６５のカム面はスライダー６０のコーン部６０ａに対面させる。また、上記レバー６３の他方の辺６３ｂの揺動端部にウエイト６６を取り付けるとともに、該他方の辺６３ｂをリターンばね６７で支持軸２３方向に引っ張り、該リターンばね６７の弾性力でレバー６３をその駆動カム６５がコーン部６０ａから離脱する方向に回動付勢する。６８、６９は上記レバー６３の揺動角度を所定角度に保持する規制ピンである。なお、基板２７ｂの取り付け面に余裕が有る場合は、上記レバー６３を直線状にして基板２７ｂに半径方向に移動可能に取り付けるようにしてもよい。
【００３３】
これにより、回転羽根２６の回転速度が高くなると、各レバー６３が、ウエイト６６の遠心力によって図８の矢印Ａ方向に回動してその駆動カム６５が基板２７ｂとスライダー６０との間に深く嵌入し、スライダー６０が押圧ばね６１の弾性力に抗して左方に移動され、該スライダ６０の駆動爪７０が出力軸４６の被動爪７１に係合し、駆動太陽ギア５２の回転が支持軸２３、スライダー６０を介して出力軸４６に伝達され、リール本体２を散水ホース７の巻取り方向に回転させる。
【００３４】
また、上記回転羽根２６の回転速度が所定値以下、又は停止すると、各レバー６３が、リターンばね６７の緊張力によって図８の矢印Ａと反対方向に回動され、その駆動カム６５がスライダー６０の外周側に移動し、スライダー６０が押圧ばね６１の弾性力によって右方に移動され、該スライダ６０の駆動爪７０が出力軸４６の被動爪７１から離脱する。これにより、リール本体２と駆動装置２０（２０−１）との連結が解除され、リール本体２からのホースの巻き出し負荷が軽減する。その他は前述した駆動装置２０と略同様となっている。
【００３５】
前述したホースリール１のスタンド５は、図１に示すように、上部側に左右に伸びる中空の把手５ａを有し、該把手５ａの下面側に多数の小孔からなる洗浄ノズル５ｂを形成する。該把手５ａの上面に切換弁７５取り付ける。この切換弁７５は、三方弁からなり、導入口７６、第１流出口７７、第２流出口７８を有し、つまみ（又はレバー）７９を操作することによって上記導入口７６が第１流出口７７と第２流出口７８とに交互に連通されるようになっている。
【００３６】
上記導入口７６に水道管に接続される一次供給ホース８０を、上記第１流出口７７にホースリール１の接続口３に接続される供給ホース６を、上記第２流出口７８に水車２１の流入口２４に接続される流入ホース８１をそれぞれ接続する。また、水車２０の流出口２５を排出ホース８２を介して上記把手５ａの一端（図１において右端）に接続し、該把手５ａの他端を閉塞する。なお、上記洗浄ノズル５ｂは、別途スタンドの上部にパイプを渡架し、該パイプの下部側に多数の小孔を形成するようにしてもよい。
【００３７】
本発明は上記構成にしたので、切換弁７５のつまみ７９を操作して一次供給ホース８０側の導入口７６を第２流出口７８側に連通させると、水道水が第２流出口７８、流入ホース８１を介して水車２１の流入口（吐出ノズル）２４に供給され、該流入口２４から高速の水が回転羽根２６に向かって吐出し、該回転羽根２６を図４において反時計方向（矢印Ｒ２）方向に回転させることになる。これにより、図３においては、回転羽根２６に設けた遊星ギア３３ａ〜３３ｄのうち、図３において右側の遊星ギア３３ａ，３３ｂが固定ギア３１に沿って旋回しつつ該固定ギア３１により、上記回転羽根２６と同方向、図４において矢印Ｒ３方向に回転される。
【００３８】
上記右側の遊星ギア３３ａ，３３ｂが回転されると、左側の遊星ギア３３ｃ，３３ｄが上記右側の遊星ギア３３ａ，３３ｂと同方向にかつ等速で回転され、該左側の遊星ギア３３ａ，３３ｂによって駆動太陽ギア３２が回転される。この場合、固定太陽ギア３１及び各遊星ギア３３の歯数が共に５５個、駆動太陽ギア３２の歯数が５４個となっているので、回転羽根２６が１回転すると左側の遊星ギア３３ａ，３３ｂが駆動太陽ギア３２の外周を転動しつつ一回転し、駆動太陽ギア３２は遊星ギア３３ａ，３３ｂとの歯数の差分、つまり１歯分遊星ギア３３ａ，３３ｂに対して逆（図４において矢印Ｒ１）方向に回転することになる。
【００３９】
これにより、回転羽根２６の回転速度が５４分の１に減速されて駆動太陽ギア３２に伝達され、該駆動太陽ギア３２の駆動トルクが増大することになる。しかも、遊星歯車装置３０は、外歯ギアからなる固定太陽ギア３１、駆動太陽ギア３２及び各遊星ギア３３により構成するとともに、これらのギアを基板２７の側面に配置したので、製作が容易になるとともに、小型化ができる。なお、上記歯数の差は、水車２１が発揮するトルクとホースリール１のホース巻取り時の負荷とを勘案して適宜設定する。また、駆動太陽ギア３２の回転方向を変更する際には、駆動太陽ギア３２の歯数を固定太陽ギア３１及び各遊星ギア３３の歯数よりも多くなるようにする。
【００４０】
上記駆動太陽ギア３２が矢印Ｒ１方向回転されると、図５の実線で示すように、駆動カム４１、被動カム４３の傾斜カム面４１ａ，４３ａによってスライダー４２が左方に移動され、該スライダー４２の駆動爪４４が出力軸４６の被動爪４５に係合し、該出力軸４６、係合ピン４８、駆動軸４を介してリール本体２を散水ホース７（図２）の巻取り方向に回転させ、該散水ホース７を巻き取ることになる。また、この巻取り時に水車２１の流出口２５が流出した水が排出ホース８２によって散水ノズル５ｂに送られ、この部からリール本体２部の散水ホース７に向けて吐出され、該散水ホース７が洗浄される。この洗浄した水は下方の水受け１３内に流下し、その排出口１３ａから支持台１０の前部に配置したバケツ（図示省略）等に流入する。これにより、ホースを洗浄した水は、洗い水、置き水として活用できることになる。
【００４１】
また、上記切換弁７５のつまみ７９を操作して一次供給ホース８０側の導入口７６を第１流出口７７側に連通させると、水道水が第１流出口７７、供給ホース６を介してホースリール１側の散水ホース７に供給される。これにより、該散水ホース７をリール本体２から引き出しながら、散水ノズル８を介して植物等に散水することができる。この場合、上記散水ホース７をリール本体２から繰り出す際には、水車２１への水の供給が停止されているため、回転羽根２６が停止し、前述した駆動カム４１によるスライダー４２の左方への押圧がなくなり、該スライダー４２は押圧ばね４７により、図５において右方に移動され、該スライダー４２の駆動爪４４が出力軸４６の被動爪４５から離脱する。これにより、上記散水ホース７を小労力でホースリール１から繰り出すことができる。
【００４２】
また、図６においては、回転羽根２６−１に設けた遊星ギア５３，５４が固定太陽ギア５１に沿って旋回しつつ該固定太陽ギア５１により、上記回転羽根２６−１と同方向に回転される。これにより、上記遊星ギア５３，５４の左側の歯と噛み合っている駆動太陽ギア５２が前述と同様に、回転羽根２６−１の回転速度の５４分の１の回転速度で回転し、駆動カム４１、被動カム４３を介してスライダー４２を左方に移動させ、該スライダー４２の駆動爪４４を出力軸４６の被動爪４５に係合させて該出力軸４６を回転させ、リール本体２を散水ホース７の巻取り方向に回転させる。この場合、上記固定太陽ギア５１、駆動太陽ギア５２、及び遊星ギア５３，５４が基板２７ｂ，２７ｂの内周部に形成した中空部Ｓ内に収容されているので、各ギアがケーシング内の水に晒されなくなり、作動が長期に亘って安定することになる。しかも１個の遊星ギア５３（５４）に固定太陽ギア５１と駆動太陽ギア５２とを同時に噛み合わせるようにしたので、遊星歯車装置がより小型にできるとともに、駆動効率が高くなる。その他は、前述と同様の作用、効果を奏することになる。
【００４３】
また、図７、図８においては、遊星ギア５３，５４によって駆動太陽ギア５２が回転すると、支持軸２３が回転される。そして、回転羽根２６−１の回転速度が所定値に達すると、各レバー６３が、ウエイト６６の遠心力によって図８の矢印Ａ方向に回動してその駆動カム６５が基板２７ｂとスライダー６０との間に深く嵌入し、スライダー６０が押圧ばね６１の弾性力に抗して左方に移動され、該スライダ６０の駆動爪７０が出力軸４６の被動爪７１に係合し、駆動太陽ギア５２の回転が支持軸２３、スライダー６０を介して出力軸４６に伝達され、リール本体２を散水ホース７の巻取り方向に回転させる。
【００４４】
また、上記回転羽根２６の回転速度が所定値以下、又は停止すると、各レバー６３が、リターンばね６７の緊張力によって図８の矢印Ａと反対方向に回動され、その駆動カム６５がスライダー６０の外周側に移動し、スライダー６０が押圧ばね６１の弾性力によって右方に移動され、該スライダ６０の駆動爪７０が出力軸４６の被動爪７１から離脱する。これにより、リール本体２と駆動装置２０−１との連結が解除され、リール本体２からのホースの巻き出し負荷が軽減する。その他は前述したものと略同様の作用、効果を奏する。
【００４５】
なお、前述した固定太陽ギア３１（５１）、駆動太陽ギア３２（５２）、遊星ギア３３（５３，５４）は、駆動太陽ギア３２（５２）、遊星ギア３３（５３，５４）の歯数をともに同じとし、固定太陽ギア３１（５１）の歯数を上記ギアと異ならせるようにしてもよく、あるいは、各固定太陽ギア３１（５１）、駆動太陽ギア３２（５２）、遊星ギア３３（５３，５４）の歯数をそれぞれ異ならせるようにしてもよい。また、遊星ギア３３（５３，５４は１組（１個）のみとしてもよい。この場合は、該当する遊星ギア３３（５３，５４が位置する基板２７の径方向反対側にバランサーを設けるとよい。
【図面の簡単な説明】
【００４６】
【図１】本発明が適用されたホースリールの全体を示す正面図である。
【図２】図１の右側面図である。
【図３】本発明による駆動装置の第１例を示す断面図である。
【図４】図３のIV-IV相当の断面図である。
【図５】本発明によるクラッチ装置部の第１例を示す拡大断面図である。
【図６】本発明による駆動装置の第２例を示す断面図である。
【図７】本発明によるクラッチ装置部の第２例を示す拡大断面図である。
【図８】図７のVIII-VIII相当の断面図である。
【符号の説明】
【００４７】
１    ホースリール
２    リール本体
２ａ  胴部
２ｂ  フランジ部
３    接続口
４    駆動軸
４ａ  係合凹部
５    スタンド
５ａ  把手
５ｂ  洗浄ノズル（小孔）
６    供給ホース
７    散水ホース
８    散水ノズル
１０    支持台
１１    支持板
１２    脚
１３    水受け
１３ａ  排出口
２０    駆動装置
２１    水車
２２    ケーシング
２３    支持軸
２４    流入口
２５    流出口
２６（２６−１）    回転羽根
２６ａ  羽根
２７（２７ａ，２７ｂ）    基板
３０（３０−１）    遊星歯車装置
３１（５１）    固定太陽ギア
３２（５２）    駆動太陽ギア
３３（３３ａ〜３３ｄ），５３，５４    遊星ギア
３４    止めボルト
３５ａ，３５ｂ，５７，５８  連結軸
５６    伝導筒体
５６ａ  取付けフランジ
４０（４０−１）    クラッチ装置
４１    駆動カム
４２    スライダー
４３    被動カム
４４    駆動爪
４５    被動爪
４６    出力軸
４７    押圧ばね
４８    係合ピン
５９    軸受
５９ａ  フランジ
５９ｂ  プレート
５９ｃ  小ねじ
５９    キー
６０    スライダー
６０ａ  コーン面
６０ｂ  キー
６１    押圧バネ
６２    遠心力作動機構
６３    レバー
６４    支点ピン
６５    駆動カム
６６    ウエイト
６７    リターンばね
６８，６９    規制ピン
７０    駆動爪
７１    被動爪
７５    切換弁
７６    導入口
７７    第１流出口
７８    第２流出口
７９    つまみ
８０    一次供給ホース
８１    流入ホース
８２    排出ホース
【図１】
2006111422.tif 000003
【図２】
2006111422.tif 000004
【図３】
2006111422.tif 000005
【図４】
2006111422.tif 000006
【図５】
2006111422.tif 000007
【図６】
2006111422.tif 000008
【図７】
2006111422.tif 000009
【図８】
2006111422.tif 000010